(57)【要約】      （修正有）【課題】縦型で片手で容易に持ち上げ移動する事ができるぱちんこ玉箱及び回胴式遊技専用メダル箱を提供する。【解決手段】ぱちんこ玉箱及び回胴式遊技専用メダル箱にぱちんこ玉及びメダルがこぼれる事を防ぐ蓋を付ける。またぱちんこ玉箱には右手首を支える手置き箇所を設置する。次にぱちんこ玉箱及び回胴式遊技専用メダル箱を縦にして片手で持ち上げられる取っ手を設ける。【選択図】図１
2009183662.tif 000002
【特許請求の範囲】
【請求項１】
現在市販されているぱちんこ玉箱及び回胴式遊技専用メダル箱には、満杯になったぱちんこ玉及び回胴式遊技専用メダルがこぼれないような工夫はない。
満杯になったぱちんこ玉箱及び回胴式遊技専用メダル箱を床に移動させる場合、ぱちんこ玉箱及び回胴式遊技専用メダル箱の両端にある取っ手を両手で掴み水平を保ちながら持ち上げ床へと移動しなければならないが、箱を斜めにしたり落とした場合、ぱちんこ玉及び回胴式遊技専用メダルは床に散乱し、回収には多くの時間を要する。また通路を歩行する人の邪魔になり危険である。
また満杯で重さ約４〜７キログラムあるぱちんこ玉箱及び回胴式遊技専用メダル箱を小物置箇所から両手で持ち上げ床まで移動させる行為は、かなりの重労働であり椅子から立ち上がらなければならない。特に女性客は、男性に比べ非力な為、腕や腰を痛めるなど大変な作業となる。
【請求項２】
満杯になった複数のぱちんこ玉箱及び回胴式遊技専用メダル箱を集積する方法として現状床に置き積み重ねるしかない。このように現状の問題点は、ぱちんこ玉箱及び回胴式遊技専用メダル箱が通路にはみ出るなど歩行者の邪魔になる。またぱちんこ玉箱及び回胴式遊技専用メダル箱を従業員が集計機まで移動させる場合、現状では一箱ずつ両手で持ち上げ運ぶか、台車に複数のぱちんこ玉箱及び回胴式遊技専用メダル箱を載せ運ぶが、ぱちんこ玉及び回胴式遊技専用メダルがこぼれないよう細心の注意を払いながら運ぶ。
このような作業は、女性労働者にとって大変な重労働である。満杯になったぱちんこ玉箱及び回胴式遊技専用メダル箱の運搬を女性従業員が何度となく繰り返すうちに肘や腰を痛めてしまう現状がある。そのため離職者も多い。
対策としては、現状のぱちんこ玉箱及び回胴式遊技専用メダル箱を両手で持ち上げ移動させる方式から片手で移動できる方式を考案し、また床に複数のぱちんこ玉箱及び回胴式遊技専用メダル箱を集積する方法から床に集積しなくてもよい方式を考案する必要がある。
【請求項３】
現状のぱちんこ台は、ぱちんこ玉を送り出す方式としてぱちんこ台右下にあるハンドルを時計方向に回す方式だが、ハンドルから手を離すと自動的に左方向へ戻る方式が採られている事から、持続的にハンドルを回し続けなければぱちんこ玉を送り出す事ができない。手は持続的にハンドルへ触れていても手首が宙に浮いている為、手首に負担が生じ疲れやすく握力が低下する。
現状の対策品として手首を支える小物商品が市販されているが、この商品を使用する場合、ぱちんこ玉箱を少し左寄りに移動させる必要がある。現状の市販されているぱちんこ玉箱の中には、取手形状により手首を支える小物商品と干渉する場合がある。
対策としては、ぱちんこ玉箱に手首を支える機能を付け加える事により、娯楽を楽しむ顧客の疲労感を和らげ遊技に集中できる効果が期待できる。このような機能を備える事によりぱちんこ玉箱の新しい形状が考えられる。
【発明の詳細な説明】
【技術分野】
【０００１】  本発明は、ぱちんこ玉箱及び回胴式遊技専用メダル箱にぱちんこ玉及び回胴式遊技専用メダルがこぼれないような工夫を施し、ぱちんこ玉箱には右手首を支える機能を付け加える。また複数のぱちんこ玉箱及び回胴式遊技専用メダル箱の移動では、縦積みできる台車の運搬方法、集計機投入口にぱちんこ玉及び回胴式遊技専用メダルを投入する方法に関するものである。
【背景技術】
【０００２】  従来のぱちんこ玉箱及び回胴式遊技専用メダル箱には、満杯になったぱちんこ玉及び回胴式遊技専用メダルが溢れこぼれるなどを防ぐ機能はない。こぼれを防ぐ対策としてネットカバーが市販されているが、満杯になったぱちんこ玉箱及び回胴式遊技専用メダル箱を斜めにしたり横転させた場合、ぱちんこ玉及び回胴式遊技専用メダルがこぼれてしまうが防ぐ事はできない。
顧客がぱちんこを楽しむ場合、ぱちんこ台の右下にあるぱちんこ玉を連続して送り出すハンドルがあるが、このハンドルを右手で連続して回す場合、手首が宙に浮いている状態から、手首に疲労が蓄積され娯楽の楽しみが半減する現状がある。対策品として手首を支える専用の小物が市販されているが、小物置き箇所の面積が広くない事からぱちんこ玉箱と手首を支える専用小物が干渉したりする場合がある。
従来のぱちんこ玉箱及び回胴式遊技専用メダル箱の置き場所は、ぱちんこ台及び回胴式遊技専用台の下にある小物置箇所か床に置くしかない。床に置く場合、一箱から四箱以内であれば通路にはみ出す事なく邪魔にならないが、五箱以上になると通路にはみ出し、歩行妨げの原因となり危険である。
しかし娯楽を楽しむ顧客は、満杯になったぱちんこ玉箱及び回胴式遊技専用メダル箱を床に蓄積し通路にはみ出させる事が優越感を覚え快感を得る現状がある。
その光景を目にした顧客が娯楽を何度となく楽しみたくなり再来店する効果がある。このような状況を危険と認知しながら娯楽を楽しむ顧客に注意することが出来ない事業主の苦しい現状がある。また従業員は床に蓄積された複数の満杯になったぱちんこ玉箱及び回胴式遊技専用メダル箱を台車に載せ集計機まで運ぶ作業があるが、満杯になった一箱４〜７キログラムあるぱちんこ玉箱及び回胴式遊技専用メダル箱を両手で一箱ずつ台車に載せ集計機の所まで運ぶ作業は、大変である。またぱちんこ玉及び回胴式遊技専用メダルを集計機に投入する作業も女性労働者にとって非常に大きな力を要する事から腰及び肩を痛める原因となり離職の原因となりかねない現状がある。
【発明の開示】
【発明が解決しようとする課題】
【０００３】  従来のぱちんこ玉箱及び回胴式遊技専用メダル箱の形態は、箱の両端に手で掴む取っ手があるが、満杯になったぱちんこ玉及び回胴式遊技専用メダルを床に移動させる場合、箱の両端にある取っ手を掴み床まで移動させるが、斜めにしたり落としたりした場合、床にぱちんこ玉及び回胴式遊技専用メダルが散乱してしまう。対策品としてネットカバーが市販されているが、このような状況には役立たない。
対策として、ぱちんこ玉箱及び回胴式遊技専用メダル箱の移動に於いて、ぱちんこ玉及び回胴式遊技専用メダルがこぼれる心配をせず、移動できる機能をぱちんこ玉箱及び回胴式遊技専用メダル箱に取り入れる事が重要。
娯楽を楽しむ顧客にとって、ぱちんこ台の右下にあるぱちんこ玉を送り出すハンドルを右手で連続して回す際、宙に浮いた手首の疲労を緩和する機能をぱちんこ玉箱に取り付ければ便利である。
現状では、満杯になった複数のぱちんこ玉箱及び回胴式遊技専用メダル箱を蓄積する方法として床に置くしかない。複数のぱちんこ玉箱及び回胴式遊技専用メダル箱が通路にはみ出した場合、歩行の邪魔になり危険である。また複数のぱちんこ玉箱及び回胴式遊技専用メダル箱を台車に載せる作業も力と時間を要するが、間違ってぱちんこ玉箱及び回胴式遊技専用メダル箱を落としたり横転させたら大変な事になる。また通路を利用する人の邪魔にもなる。このように通路にはみ出す事なく収納できる台車を考案する必要がある。
台車に載せられた複数のぱちんこ玉箱及び回胴式遊技専用メダル箱のぱちんこ玉及び回胴式遊技専用メダルを集計機に投入する際、現状では一箱ずつ両手で持ち上げ投入する作業があるが、労働者にとって大きな負担になる。両手でぱちんこ玉箱及び回胴式遊技専用メダル箱の両端の取っ手を掴み、ぱちんこ玉及び回胴式遊技専用メダルがこぼれないよう細心の注意を払いながら持ち上げ投入する作業の現状を解決する必要がある。
本発明は、以上の問題点を解決しぱちんこ玉箱及び回胴式遊技専用メダル箱の管理方法、ぱちんこ玉箱及び回胴式遊技専用メダル箱を運ぶ台車、集計機にぱちんこ玉及び回胴式遊技専用メダルを投入する方法を簡略化したものである。
【課題を解決するための手段】
【０００４】  本発明は、満杯になったぱちんこ玉及び回胴式遊技専用メダルが溢れこぼれないような対策として、ぱちんこ玉箱及び回胴式遊技専用メダル箱に蓋を付ける。また床に移動させる場合、片手で持ち上げられるよう工夫を施す。
本発明によるぱちんこ玉箱には、手置き箇所を設ける。ぱちんこ玉を送り出すハンドルを右手で回す行為は、宙に浮いた右手首に疲労が蓄積される事から手首を支える工夫で疲労低減を図る。このような工夫により顧客が娯楽に集中でき疲労低減の効果が期待できる。
次に、ぱちんこ玉箱及び回胴式遊技専用メダル箱の収納方法として、現状の横置き積み重ね方式から片手で移動できる縦形収納方式とする。
ぱちんこ玉箱及び回胴式遊技専用メダル箱を蓄積できる専用台車は、通路にはみ出さないよう椅子の下に収納できる形状とする。このような対策を施す工夫により、ぱちんこ玉箱及び回胴式遊技専用メダル箱を床に置く必要がなくなる。
高さ約９０センチメートルある集計機投入口にぱちんこ玉及び回胴式遊技専用メダルを投入する場合、従来のように満杯（４〜７キログラム）になった箱を一箱ずつぱちんこ玉及び回胴式遊技専用メダルがこぼれないよう両手で持ち上げ投入するのではなく、集計機投入口近くまで片手で持ち上げ投入できるよう工夫する。
蓋を装備する事によりぱちんこ玉及び回胴式遊技専用メダルがこぼれる心配はなく、容易に集計機投入口近くまで移動できる。
ぱちんこ玉及び回胴式遊技専用メダルを集計機に投入する場合、台車からぱちんこ玉箱及び回胴式遊技専用メダル箱を片手で集計機投入口近くまで持ち上げ、もう一方の手で蓋を開ければ集計機投入口へぱちんこ玉及び回胴式遊技専用メダルを容易に投入できるようにする。
【発明の効果】
【０００５】  本発明は、ぱちんこ玉箱及び回胴式遊技専用メダル箱にぱちんこ玉及び回胴式遊技専用メダルが溢れこぼれる状態を防ぐ蓋を装備する。蓋を装備する事により床への移動にもぱちんこ玉及び回胴式遊技専用メダルがこぼれる心配から開放される。
蓋を装備する事によりぱちんこ玉箱及び回胴式遊技専用メダルを片手で移動できるようになる為、ぱちんこ玉箱及び回胴式遊技専用メダル箱に取っ手を装備する。
またぱちんこ玉箱には、手首を支える手置き箇所を設ける事により手首疲労の軽減に役立つ。
蓋付ぱちんこ玉箱及び蓋付回胴式遊技専用メダル箱を専用に縦型収納でき椅子の下に収納できる台車を用意する事により、ぱちんこ玉箱及び回胴式遊技専用メダル箱を床に置く必要がなくなる。
次に縦型収納専用台車に載せた手置き蓋付縦型収納ぱちんこ玉箱及び蓋付縦型収納回胴式遊技専用メダル箱を集計機まで運び、ぱちんこ玉及び回胴式遊技専用メダルを集計機に投入する作業では、箱を一箱ずつ片手で持ち上げ蓋を開ければ、容易にぱちんこ玉及び回胴式遊技専用メダルを集計機投入口に投入する事が可能になる。
男性より力が弱く身長の低い女性でも、大幅な作業低減並びに腰痛などの理由により離職する女性労働者を救う効果が期待できる。
【発明を実施するための最良の形態】
【０００６】  以下、本発明の実施の形態を説明する。
（イ）パチンコ玉箱及び回胴式遊技専用メダル箱にぱちんこ玉及び回胴式遊技専用メダルがこぼれないように蓋を付ける。
（ロ）ぱちんこ玉箱に手首を支える手置き箇所を設置する。
（ハ）ぱちんこ玉箱及び回胴式遊技専用メダル箱を縦にして持ち上げられる取っ手と付ける。
（ニ）手置き蓋付縦型収納ぱちんこ玉箱及び蓋付縦型収納回胴式遊技専用メダル箱を複数縦積み収納できる専用台車を用意する。
【図面の簡単な説明】
【０００７】
【図１】本発明の斜視図
【図２】本発明の正面図
【図３】本発明の側面図
【図４】本発明の上面図
【符号の説明】
【０００８】（１）ぱちんこ玉箱蓋及び回胴式遊技専用メダル箱蓋、（２）ぱちんこ玉箱取っ手兼手置き箇所、（３）ぱちんこ玉及び回胴式遊技専用メダル投入口、（４）移動式蓋、（５）開閉式蓋、（６）取り外し式取っ手、（７）支柱はめ込み部、（８）キャスター、（９）集計機投入口、（１０）手置き蓋付縦型収納片手持方式ぱちんこ玉箱及び蓋付縦型収納片手持ち上げ方式回胴式遊技専用メダル箱、（１１）椅子下縦型収納専用台車
【図１】
2009183662.tif 000003
【図２】
2009183662.tif 000004
【図３】
2009183662.tif 000005
【図４】
2009183662.tif 000006
【図５】
2009183662.tif 000007
【手続補正書】
【提出日】平成20年5月2日(2008.5.2)
【手続補正２】
【補正対象書類名】明細書
【補正対象項目名】０００７
【補正方法】変更
【補正の内容】
【０００７】
【図１】  斜視図
【図２】  斜視図
【図３】  正面図
【図４】  側面図
【図５】  上面図